(57)【特許請求の範囲】
【請求項１】
可動接点とともに接点装置を構成する固定接点を一体に備える端子装置が器体内に収納されたスイッチであって、端子装置は、器体に取り付けた環状の端子枠と、端子枠の周壁に貫設されたねじ孔に螺合し電線を端子枠との間に接続保持する端子ねじとを備え、端子枠において端子ねじの先端面との間に電線を挟持する部位には端子枠の開口面に沿った断面が端子ねじの先端面から離れる向きへ膨らむように湾曲する保持面が形成されてなり、端子枠は、ねじ孔が貫設されたねじ側端子板と保持面が形成された受け側端子板との２部材をかしめて結合することにより形成され、電線の挿入深さを規制する電線ストッパ片をねじ側端子板に一体に設け、固定接点を保持した接点保持片を受け側端子板から延長した連結片の先端部に設けてなることを特徴とするスイッチ。
【請求項２】
上記ねじ側端子板は、上記ねじ孔の周縁外周部にカウンタシンクが一体に形成されてなることを特徴とする請求項１記載のスイッチ。
【請求項３】
上記ねじ側端子板において上記カウンタシンクの周辺で両側縁から側方へ突出する張出片が設けられ、上記受け側端子板には上記張出片が挿入される位置決め孔を設けてなることを特徴とする請求項２記載のスイッチ。
【請求項４】
上記端子枠は、上記器体の内面に突設されたリブを挟み込む一対の突出片を上記連結片に設けてなることを特徴とする請求項１記載のスイッチ。
【請求項５】
上記器体に揺動自在に枢支された形で上記器体に装着され上記接点装置を開閉する反転ハンドルと、反転ハンドルに取り付けた表示灯とを備え、上記端子枠は、上記電線ストッパ片の両側縁に取付突起が突設され、表示灯への通電経路となる金属板よりなる接触子から延設された延設片に設けた係合部へ取付突起が係合することによって接触子とねじ側端子板とが結合され、取付突起には接触子側ほど電線ストッパ片からの突出量を小さくする傾斜面が形成されてなることを特徴とする請求項１記載のスイッチ。
【請求項６】
上記器体は箱状であって、前面開口した合成樹脂製のボディと、ボディの前面側に配設されるカバーとからなり、ボディの幅方向における両側面にはボディの長手方向に離間して各一対の組立突起が突設され、カバーの後端縁からは組立舌片が後方に突設され、組立舌片に設けた組立孔に組立突起が係合することによってボディとカバーとが結合され、ボディの長手方向における上記組立突起の幅をボディの両側面で異ならせてなることを特徴とする請求項１記載のスイッチ。
【請求項７】
上記器体は箱状であって、前面開口した合成樹脂製のボディと、ボディの前面側に配設されるカバーとからなり、ボディの幅方向における両側面にはボディの長手方向に離間して各一対の組立突起が突設され、カバーの後端縁からは組立舌片が後方に突設され、組立舌片に設けた組立孔に組立突起が係合することによってボディとカバーとが結合され、上記長手方向の両端部において上記ボディと上記カバーとの対向面の一方にリブを設け、他方にリブが嵌る凹部を設け、両端部において上記リブの幅を異ならせてなることを特徴とする請求項１記載のスイッチ。
【請求項８】
上記長手方向の両端部において上記ボディと上記カバーとの対向面の一方にリブを設け、他方にリブが嵌る凹部を設け、両端部において上記リブの幅を異ならせてなることを特徴とする請求項６記載のスイッチ。
【請求項９】
上記器体に揺動自在に枢支された形で上記器体に装着され上記接点装置を開閉する反転ハンドルと、反転ハンドルの前面側に着脱自在に取り付けられる操作ハンドルと、埋込型の配線器具用の取付枠に取り付けるための取付部とを備え、上記取付枠に取着された状態で操作ハンドルを反転ハンドルから外すための切欠部を操作ハンドルの後端縁に設けてなることを特徴とする請求項１記載のスイッチ。
【請求項１０】
操作ハンドルと反転ハンドルとの互いの対向面それぞれに反転ハンドルへの操作ハンドルの取付方向を規定方向のみに規制する逆組み防止リブを突設してなることを特徴とする請求項９記載のスイッチ。
【請求項１１】
操作ハンドルと反転ハンドルとの互いの対向面に操作ハンドルの取付方向を指示するマークを表示してなることを特徴とする請求項９記載のスイッチ。
【請求項１２】
上記器体は、短手方向の外形寸法が、中央部に窓孔を有した矩形枠状に形成され一方向に２ないし３組の器具取付手段を備えた埋込型の配線器具用の取付枠に当該取付枠の器具取付手段の組の数まで連設可能とする寸法に形成され、上記操作ハンドルは、上記窓孔の前面側の開口面を２個で覆う程度の大きさに形成され、上記一方向を左右方向とするときに左右両側に上記反転ハンドルを着脱可能としてあることを特徴とする請求項９記載のスイッチ。
【請求項１３】
上記操作ハンドルの後面には、上記反転ハンドルに形成された鍔片の一部に係止される結合脚が突設され、上記反転ハンドルにおいて鍔片には結合脚を誘導する誘導溝が設けられてなることを特徴とする請求項９記載のスイッチ。
【請求項１４】
上記反転ハンドルに表示灯を備え、操作ハンドルの後面には、表示灯の光を操作ハンドルの表示部へ導光するレンズが配設され、当該レンズは上記左右両側それぞれにおいて表示灯に対応する部位に跨る大きさに形成されてなることを特徴とする請求項１２記載のスイッチ。
【請求項１５】
上記取付枠が施工面に埋込配置された埋込ボックスに取り付けるためのボックスねじが挿通される取付孔が形成されたものであって、上記操作ハンドルにおいて上記器体の短手方向の両側壁の後端縁には、上記器体を上記取付枠に取り付けた状態でボックスねじの干渉を防止する凹部よりなる逃げ部が設けられてなることを特徴とする請求項９記載のスイッチ。
【発明の詳細な説明】
【０００１】
【発明の属する技術分野】
本発明は、スイッチに関するものである。
【０００２】
【従来の技術】
従来から、スイッチやコンセントのような配線器具あるいは照明器具などにおいて、器体に設けた電線挿入孔を通して器体に導入された電線を接続するために速結端子と称する端子装置が広く用いられている。例えば図４２に示すスイッチでは、器体１に収納され電線挿入孔１２を通して器体１に導入された電線２に接触する端子板３と、端子板３との間で電線２を挟持する鎖錠ばね４とを備えている。鎖錠ばね４は板ばねであって、鎖錠ばね４に設けた接触片４ａおよび鎖錠片４ｂと端子板３との間に電線２を挟持することによって電線２を保持するように形成されている。つまり、器体１に設けた電線挿入孔１２を通して電線２を器体１に導入すると、電線２が接触片４ａおよび鎖錠片４ｂを端子板３から引き離す向きに撓ませ、接触片４ａおよび鎖錠片４ｂに生じるばね力によって電線２が端子板３と鎖錠片４ｂとの間に挟持されるように構成されている。ここに、電線２が端子板３と接触片４ａおよび鎖錠片４ｂとの間に挟持された状態では、接触片４ａおよび鎖錠片４ｂの端縁が電線２に弾接し、電線２の一部に鎖錠片４ｂが食い込むことによって電線２の抜け止めがなされる。
【０００３】
上述のスイッチは、器体１に揺動自在に枢支された形で器体１に装着された反転ハンドル５０の前面側に、反転ハンドル５０の前面を覆う反転ハンドル５０に比べて操作面の面積が大きな操作ハンドル６０が取り付けられる。操作ハンドル６０の後面には反転ハンドル５０に設けた結合爪５３に係合する結合脚６１が突設され、結合脚６１の先端部（後端部）には結合爪５３の後面に係合する脚爪６１ａが形成されており、操作ハンドル６０の後面に突設した押え突起６２と脚爪６１ａとの間で反転ハンドル５０が保持され、結果的に操作ハンドル６０が反転ハンドル５０に固定されている。なお、操作ハンドル６０を反転ハンドル５０に取り付ける際には、図４３に示すように、反転ハンドル５０の左端部が右端部よりも後方（図における下方）に位置する状態で右端部の結合爪５３に操作ハンドル６０の結合脚６１の脚爪６１ａを係合させた後、操作ハンドル６０の中央部を器体１側に押圧して反転ハンドル５０の左端部の結合爪５３に操作ハンドル６０の結合脚６１の脚爪６１ａを係合させている。
【０００４】
ところで、器体１の長手方向の両端部には器体１の前面から突出する当てリブ２５がそれぞれ突設され、各当てリブ２５の外側面には各一対の取付爪２６が突設されており、図４４に示すように配線器具用の取付枠たるプレート枠８０に設けた保持溝８７ａ，８７ｂに係合することによって器体１をプレート枠８０に保持させることができるようになっている。ここに、当てリブ２５は器体１をプレート枠８０に取り付けた時にプレート枠８０に設けた当接部８４ｄ，８５ｄの裏面側に当接することになり、操作ハンドル６０は両当てリブ２５の間に配置され、施工状態において器体１と操作ハンドル６０との間に形成される隙間が外部から見えにくくなっている。
【０００５】
また、図４５に示したスイッチでは、端子装置として、器体１に収納され電線挿入孔１２を通して器体１に導入された電線２に接触する端子板３’と、端子板３’に挿通された端子ねじ５と、端子ねじ５の先端部に螺着された矩形板状のナット６とを備えるものが知られている。この端子装置では、電線挿入孔１２を通して器体１に電線２を挿入し、器体１の側壁に設けられた操作孔７を通してマイナスドライバの先端部で端子ねじ６を締め付けるように回すことにより、ナット６と端子板３’の主片３ａ’との間の距離が小さくなって電線２が挟持されるように構成されている。
【０００６】
【発明が解決しようとする課題】
ところで、図４２に示したスイッチに用いられている端子装置は、芯線が単線である電線を接続することを想定しており、芯線が撚り線である場合には鎖錠片による抜け止めの効果を充分に得ることができないという問題を有している。つまり、図４２に示す端子板３のように電線との接触部位である主片３ａが平板である端子板３を用いると、芯線が撚り線であると端子板３と鎖錠片４ｂとの間に導入したときに撚り線を構成する各線がばらばらに広がるから、鎖錠ばね４と端子板３の主片３ａとの距離が小さくなって鎖錠ばね４による充分な接触圧を得ることができず、電線２が脱落してしまうという問題がある。
【０００７】
また、図４４に示したスイッチに用いられている端子装置は、芯線が単線である電線を１本接続した場合、芯線が撚り線である電線を１本接続した場合、同じ種類の電線で同じ素線径同士の組み合わせで接続した場合には問題ないが、ナット６との間に電線２を挟持する相手側面（つまり、端子板３’の主片３ａにおけるナット６との対向面）は平面状であるから、例えば図４６に示す複数種類の適用電線のなかから異径電線や異種電線を組み合わせて接続した場合に十分な強度で電線を保持することができず、電線が脱落するという問題があった。
【０００８】
なお、上述の図４２に示したスイッチを図４４に示すようなプレート枠８０に取り付ける際に、プレート枠８０に器体１を取り付けた後に操作ハンドル６０を反転ハンドル５０に取り付けるが、プレート枠８０に取着された器体１の反転ハンドル５０に取り付けた操作ハンドル６０の両端部（図４４における左右両端部）とプレート枠８０の当接部８４ｄ，８５ｄとの間の隙間が小さいので、操作ハンドル６０を取り外すことができず、器具の交換ができないという不具合があった。
【０００９】
本発明は、上記事由に鑑みてなされたものであり、その主目的は、異径電線および異種電線を組み合わせて用いる場合でも電線を十分な強度で保持することができる端子装置を備えたスイッチを提供することにある。
【００１０】
【課題を解決するための手段】
請求項１の発明は、可動接点とともに接点装置を構成する固定接点を一体に備える端子装置が器体内に収納されたスイッチであって、端子装置は、器体に取り付けた環状の端子枠と、端子枠の周壁に貫設されたねじ孔に螺合し電線を端子枠との間に接続保持する端子ねじとを備え、端子枠において端子ねじの先端面との間に電線を挟持する部位には端子枠の開口面に沿った断面が端子ねじの先端面から離れる向きへ膨らむように湾曲する保持面が形成されてなることを特徴とするものであり、端子枠において端子ねじの先端面との間に電線を挟持する部位には端子枠の開口面に沿った断面が端子ねじの先端面から離れる向きへ膨らむように湾曲する保持面が形成されているので、芯線が単線である電線、芯線が撚り線である電線などの径や種類によらず、異径電線および異種電線を組み合わせて用いる場合でも電線を十分な強度で保持することができるから、例えば、１つの端子枠に芯線が単線である電線と芯線が撚り線である電線とを同時に接続する場合、１つの端子枠に芯線が単線である電線を２本接続する場合など、多様な接続形態に対応することができる。
【００１１】
また、請求項１の発明では、端子枠は、ねじ孔が貫設されたねじ側端子板と保持面が形成された受け側端子板との２部材をかしめて結合することにより形成され、電線の挿入深さを規制する電線ストッパ片をねじ側端子板に一体に設け、固定接点を保持した接点保持片を受け側端子板から延長した連結片の先端部に設けてあるので、電線の挿入深さはねじ側端子板に一体に設けられた電線ストッパにより規制されるから、例えば電線の挿入長さが長過ぎるような場合に連結片や接点保持片が電線の影響を受けず、固定接点の位置がずれるのを防止することができ、また、ねじ側端子板と受け側端子板との２部材がかしめて結合されているので、端子ねじを締め付けてもねじ側端子板が変形しにくく、端子ねじの締め付けに対して強いから、結果的に電線を強固に保持することができる。
【００１２】
請求項２の発明は、請求項１の発明において、上記ねじ側端子板は、上記ねじ孔の周縁外周部にカウンタシンクが一体に形成されているので、カウンタシンクを設けていない場合に比較すると端子枠と端子ねじとの螺合量を大きくとることができ、端子ねじを強固に締め付けることができるから、結果的に電線を強固に保持することができる。
【００１３】
請求項３の発明は、請求項２の発明において、上記ねじ側端子板においてカウンタシンクの周辺で両側縁から側方へ突出する張出片が設けられ、上記受け側端子板には上記張出片が挿入される位置決め孔を設けてあるので、端子枠の組立時に張出片と位置決め孔とを利用して上記ねじ側端子板を上記受け側端子板に仮固定でき、上記ねじ側端子板と上記受け側端子板との結合作業が容易になり、また、カウンタシンクの強度を高めることができる。
【００１４】
請求項４の発明は、請求項１の発明において、上記端子枠は、上記器体の内面に突設されたリブを挟み込む一対の突出片を上記連結片に設けてあるので、端子ねじを締め付ける際の電線の反力による端子枠のがたつきを防止でき、固定接点の位置がずれるのを防ぐことができるから、安定した接点圧を得ることが可能になる。
【００１５】
請求項５の発明は、請求項１の発明において、上記器体に揺動自在に枢支された形で上記器体に装着され上記接点装置を開閉する反転ハンドルと、反転ハンドルに取り付けた表示灯とを備え、上記端子枠は、上記電線ストッパ片の両側縁に取付突起が突設され、表示灯への通電経路となる金属板よりなる接触子から延設された延設片に設けた係合部へ取付突起が係合することによって接触子とねじ側端子板とが結合され、取付突起には接触子側ほど電線ストッパ片からの突出量を小さくする傾斜面が形成されているので、表示灯への通電経路となる接触子を組立時にねじ側端子板と簡単に結合することができる。
【００１６】
請求項６の発明は、請求項１の発明において、上記器体は箱状であって、前面開口した合成樹脂製のボディと、ボディの前面側に配設されるカバーとからなり、ボディの幅方向における両側面にはボディの長手方向に離間して各一対の組立突起が突設され、カバーの後端縁からは組立舌片が後方に突設され、組立舌片に設けた組立孔に組立突起が係合することによってボディとカバーとが結合され、ボディの長手方向における上記組立突起の幅をボディの両側面で異ならせてあるので、組立時にカバーとボディとを簡単に結合することができ、しかも、カバーとボディとの逆組を防止することができる。
【００１７】
請求項７の発明は、請求項１の発明において、上記器体は箱状であって、前面開口した合成樹脂製のボディと、ボディの前面側に配設されるカバーとからなり、ボディの幅方向における両側面にはボディの長手方向に離間して各一対の組立突起が突設され、カバーの後端縁からは組立舌片が後方に突設され、組立舌片に設けた組立孔に組立突起が係合することによってボディとカバーとが結合され、上記長手方向の両端部において上記ボディと上記カバーとの対向面の一方にリブを設け、他方にリブが嵌る凹部を設け、両端部において上記リブの幅を異ならせてあるので、組立時にカバーとボディとを簡単に結合することができ、しかも、カバーとボディとの逆組を防止することができる。
【００１８】
請求項８の発明は、請求項６の発明において、上記長手方向の両端部において上記ボディと上記カバーとの対向面の一方にリブを設け、他方にリブが嵌る凹部を設け、両端部において上記リブの幅を異ならせてあるので、カバーとボディとの逆組をより確実に防止することができる。
【００１９】
請求項９の発明は、請求項１の発明において、上記器体に揺動自在に枢支された形で上記器体に装着され上記接点装置を開閉する反転ハンドルと、反転ハンドルの前面側に着脱自在に取り付けられる操作ハンドルと、埋込型の配線器具用の取付枠に取り付けるための取付部とを備え、上記取付枠に取着された状態で操作ハンドルを反転ハンドルから外すための切欠部を操作ハンドルの後端縁に設けてあるので、上記器体が上記取付枠に取着され反転ハンドルに操作ハンドルが取り付けられた状態でも切欠部にマイナスドライバなどの先端部を差し込んで操作ハンドルが反転ハンドルから外れる向きの力を作用させることにより操作ハンドルを反転ハンドルから外すことができる。
【００２０】
請求項１０の発明は、請求項９の発明において、操作ハンドルと反転ハンドルとの互いの対向面それぞれに反転ハンドルへの操作ハンドルの取付方向を規定方向のみに規制する逆組み防止リブを突設してあるので、反転ハンドルに対する操作ハンドルの取付方向を規制でき、反転ハンドルに対する操作ハンドルの逆組みを防止することができる。
【００２１】
請求項１１の発明は、請求項９の発明において、操作ハンドルと反転ハンドルとの互いの対向面に操作ハンドルの取付方向を指示するマークを表示してあるので、反転ハンドルへの操作ハンドルの取付方向を容易に確認できる。
【００２２】
請求項１２の発明は、請求項９の発明において、上記器体は、短手方向の外形寸法が、中央部に窓孔を有した矩形枠状に形成され一方向に２ないし３組の器具取付手段を備えた埋込型の配線器具用の取付枠に当該取付枠の器具取付手段の組の数まで連設可能とする寸法に形成され、上記操作ハンドルは、上記窓孔の前面側の開口面を２個で覆う程度の大きさに形成され、上記一方向を左右方向とするときに左右両側に上記反転ハンドルを着脱可能としてあるので、上記一方向に２組の器具取付手段を備えた取付枠と３組の器具取付手段を備えた取付枠とで上記操作ハンドルの共通化を図ることができ、取付枠毎に専用の操作ハンドルを用意する場合に比べて低コスト化を図ることができる。
【００２３】
請求項１３の発明は、請求項９の発明において、上記操作ハンドルの後面には、上記反転ハンドルに形成された鍔片の一部に係止される結合脚が突設され、上記反転ハンドルにおいて鍔片には結合脚を誘導する誘導溝が設けられているので、上記反転ハンドルへの上記操作ハンドルの取付時に結合脚が誘導溝に沿って案内されるから、上記反転ハンドルへの上記操作ハンドルの取付作業が容易になる。
【００２４】
請求項１４の発明は、請求項１２の発明において、上記反転ハンドルに表示灯を備え、操作ハンドルの後面には、表示灯の光を操作ハンドルの表示部へ導光するレンズが配設され、当該レンズは上記左右両側それぞれにおいて表示灯に対応する部位に跨る大きさに形成されているので、上記窓孔の前面側の開口面を２個で覆う程度の大きさに形成された操作ハンドルにおいて上記左右方向の左右両側のいずれに反転ハンドルを取り付けた場合でも表示灯の光を操作ハンドルの表示部へ導光することができる。
【００２５】
請求項１５の発明は、請求項９の発明において、上記取付枠が施工面に埋込配置された埋込ボックスに取り付けるためのボックスねじが挿通される取付孔が形成されたものであって、上記操作ハンドルにおいて上記器体の短手方向の両側壁の後端縁には、上記器体を上記取付枠に取り付けた状態でボックスねじの干渉を防止する凹部よりなる逃げ部が設けられているので、上記器体を上記取付枠に取り付けた状態でボックスねじの干渉を防止する凹部よりなる逃げ部が上記操作ハンドルに設けられていることによって、上記操作ハンドルの操作時にボックスねじが上記操作ハンドルに干渉するのを回避することができる。
【００２６】
【発明の実施の形態】
（実施形態１）
本実施形態のスイッチは、図１ないし図３に示すように、前面が開口した直方体状の合成樹脂成形品のボディ１０と、矩形枠状に形成されボディ１０の前面側に結合される合成樹脂成形品のカバー２０とにより構成される器体１を備える。ボディ１０の幅方向における両外側面にはボディ１０の長手方向に離間して各一対の組立突起１１が突設され、カバー２０の後端縁からは組立舌片２１が後方に延設され、組立舌片２１に設けた組立孔２１ａに組立突起１１が係合することによってボディ１０とカバー２０とが結合される。
【００２７】
ここにおいて、本実施形態では、図４に示すボディ１０の一方の外側面（図６（ｂ）の下面）における組立突起１１の幅をＷ１とし、図５に示すボディ１０の他方の外側面（図６（ｂ）の上面）における組立突起１１の幅をＷ２とするとき、Ｗ１とＷ２とを異ならせてある（つまり、ボディ１０の長手方向における組立突起１１の幅をボディ１０の両外側面で異ならせてある）。これに対して、図４に示すカバー２０の一方の外側面（図６（ａ）の上面）と同一平面上に形成された組立舌片２１における組立孔２１ａの幅Ｗ１’はＷ１よりもやや大きな幅に形成され、図５に示すカバー２０の他方の外側面（図６（ａ）の下面）と同一平面上に形成された組立舌片２１における組立孔２１ａの幅Ｗ２’はＷ２よりもやや大きな幅に形成されているが、Ｗ２，Ｗ１の大小関係と同様に、Ｗ２’とＷ１’とを異ならせてある。しかして、組立時にカバー２０とボディ１０との逆組を防止することができる。
【００２８】
また、図６（ａ）に示すように、カバー２０の長手方向の両端部における後面側には後方に向かって突出するリブ２７がカバー２０の幅方向に沿って形成され、図６（ｂ）に示すように、ボディ１０の長手方向（左右方向）の両端部における前面側には組立時に上記リブ２７が位置決めされる凹部１６が形成されているが、カバー２０の長手方向の一端部（図での左端部）におけるリブ２７の幅をＷ３とし、他端部（図での右端部）におけるリブ２７の幅をＷ４とするとき、Ｗ３とＷ４とを異ならせてあるので、このことからも組立時にカバー２０とボディ１０との逆組を防止することができる。
【００２９】
ボディ１０には、ボディ１０の後壁に設けた電線挿入孔１２を通して器体１に挿入される電線２を接続する２個の端子装置３０ａ，３０ｂと、端子装置３０ａ，３０ｂの間の電路を開閉する接点装置４０とが収納される。一方、カバー２０の中央部の開口窓２２には合成樹脂成形品の反転ハンドル５０がカバー２０に対して揺動自在に枢支された形で装着され、この反転ハンドル５０の揺動に伴って接点装置４０が開閉される。反転ハンドル５０の前面側にはカバー２０の前面に重複する合成樹脂成形品の操作ハンドル６０（図１５参照）が着脱可能に結合され、操作ハンドル６０を操作部として揺動させることにより、反転ハンドル５０が揺動して接点装置４０が開閉されるようにしてある。
【００３０】
ボディ１０の内側面には、端子装置３０ａ，３０ｂおよび接点装置４０を位置決めするための保持溝１４（図３参照）および保持リブ１３がそれぞれ複数形成されている。端子装置３０ａ，３０ｂはボディ１０の長手方向の両端部内に配置され、接点装置４０はボディ１０の長手方向の中央部内に配置される。
【００３１】
端子装置３０ａ，３０ｂは、器体１に取り付けた環状の端子枠１００ａ，１００ｂと、端子枠１００ａ，１００ｂの周壁に貫設されたねじ孔３５に螺合し器体１の後壁に設けた電線挿入孔１２を通して端子枠１００ａ，１００ｂ内に導入された電線を端子枠１００ａ，１００ｂとの間に接続保持する端子ねじ３４とを備えている。すなわち、端子装置３０ａ，３０ｂは、環状の端子枠１００ａ，１００ｂに貫設されたねじ孔３５に端子ねじ３４を螺合させて、端子ねじ３４の先端面４３ａと端子枠１００ａ，１００ｂとの間に電線を挟持することにより、電線を機械的に保持しかつ電気的に接続するものである。
【００３２】
端子枠１００ａ，１００ｂにおいてねじ孔３５の周縁外周部には、カウンタシンク３６をバーリング加工により形成してある。したがって、端子枠１００ａ，１００ｂにおいて、端子ねじ３４が螺合するねじ孔３５にカウンタシンク３６を設けているから、カウンタシンク３６を設けていない場合に比較すると端子枠１００ａ，１００ｂと端子ねじ３４の螺合量を大きくとることができ、端子ねじ３４を強固に締め付けることができる。
【００３３】
端子枠１００ａ，１００ｂにおいて端子ねじ３４の先端面３４ａ（図１および図８参照）との間に電線を挟持する部位には端子枠１００ａ，１１０ｂの開口面に沿った断面が端子ねじ３４の先端面から離れる向きへ膨らむように湾曲する保持面３１ｂ，３２ｂが形成されている。
【００３４】
端子枠１００ａ，１００ｂは、ねじ孔３５が貫設されたねじ側端子板３３，３３と上記保持面３１ｂ，３２ｂが形成された受け側端子板３１，３２との２部材を結合することにより形成されている。ここに、両端子枠１００ａ，１００ｂにおいてねじ側端子板３３は共通化してあるので、コストを低減することができる。
なお、ねじ側端子板３３，３３および受け側端子板３１，３２はそれぞれ板金を曲成することにより形成されている。
【００３５】
ねじ側端子板３３，３３は、図１０に示すように、Ｌ字状に形成されており、ねじ孔３５およびカウンタシンク３６が形成された主片３３ａと、主片３３ａに略直交し電線の挿入深さを規制する電線ストッパ片３３ｂとを有している。すなわち、図７に示すように、電線２の先端が電線ストッパ片３３ｂに当接することで電線２の挿入深さが規制されることになる。
【００３６】
一方、受け側端子板３１は、ボディ１０の長手方向の一端部（図３における左端部）付近で操作溝１５の内周面に設けた保持溝１４に両側部に突設した張出部３３ｃ（図１１参照）が挿入保持される主片３１ａと、ボディ１０の長手方向の中央部に配置され固定接点４１が固着された接点保持片３１ｄと、主片３１ａの前端縁と接点保持片３１ｄの前端縁とを連続一体に連結するようにボディ１０の開口面に沿って延長された連結片３１ｃ，３２ｃとを備える。すなわち、受け側端子板３１には連結片３１ｃから延長されて先端部に固定接点４１を備える接点保持片３１ｄがボディ１０の長手方向の中央部に向かって斜め後向き（図２の下向き）に延設される。
【００３７】
また、受け側端子板３２は、上記保持面３２ｂが形成された断面Ｕ字状の主片３２ａの後端縁からボディ１０の長手方向の中央部に向かってボディ１０の後面に沿う形で支持片３２ｄが延設され、支持片３２ｄの先端部にはへ字状に曲成された支点突起３２ｅが形成されている。支点突起３２ｅにはコ字状の導電板からなる開閉素子４３の中央片４３ａの後面が当接する。
【００３８】
接点装置４０は、コ字状に形成され支点突起３２ｅに中央片４３ａの後面が当接する開閉素子４３を備えている。開閉素子４３は、中央片４３ａの両端縁から側片４３ｂ，４３ｃが延設されており、支点突起３２ｅを中心としてボディ１０の長手方向の中央部内に揺動自在に配置される。ボディ１０の中央部は、ボディ１０の幅方向の両側壁の内面から保持リブ１３，１３が突設されており、リブ１３，１３によってボディ１０の幅方向への開閉素子４３の移動が規制される。開閉素子４３の側片４３ｂの側縁には突起４３ｄが突設されており、この突起４３ｄが保持リブ１３に当接することにより、開閉素子４３の揺動範囲が規制される。
【００３９】
開閉素子４３は、上述の接点保持片３１ｄに対向するように配置され、一方の側片４３ｂには接点保持片１８ｄに設けた固定接点４１に離接する可動接点４２が設けられる。つまり、開閉素子４３が支点突起３２ｅを中心として回動することにより、可動接点４２が固定接点４１に接離し、端子装置３０ａと端子装置３０ｂとを電気的に接続する状態と分離する状態とが選択される。要するに、本実施形態の接点装置４０は、固定接点４１と可動接点４２とを１個ずつ備えた単極単投に用いる単極スイッチ（いわゆる片切スイッチ）の接点を構成している。  開閉素子４３と反転ハンドル５０との間にはコイルスプリングからなる反転ばね４４が保持されており、反転ばね４４の一端部は開閉素子４３の中央片４３ａと両側片４３ｂ，４３ｃとで囲まれる空間に収められ、他端部は反転ハンドル５０内に収められる。
【００４０】
器体１の幅方向における反転ハンドル５０の両側面には支点突起５１が突設され、各支点突起５１は前端部が先細りとなる形状に形成されている。カバー２０の長手方向の中央部であって幅方向の両側部には開口窓２２の周縁から前方に突出する一対の軸受突片２３が突設され、両軸受突片２３の対向面には反転ハンドル５０の支点突起５１が挿入される軸受凹所２４が形成される。軸受凹所２４は少なくとも前端部において支点突起５１を揺動可能に枢支する。反転ハンドル５０の長手方向の両端面には操作ハンドル６０を反転ハンドル５０に結合するための結合爪５３がそれぞれ突設される。
【００４１】
なお、カバー２０の長手方向の両端部にはカバー２０の両端部側縁に沿ってカバー２０の前面から突出する当てリブ２５がそれぞれ突設され、各当てリブ２５の外側面には各一対の取付爪２６が突設される。ここでは詳しく説明しないが、取付爪２６は配線器具用の取付枠に設けた取付孔に係合することによって器体１を取付枠に保持させるために設けてあり、壁面などの施工面に器体１の一部を埋め込む形で施工する際に、施工面に固定される取付枠への器体１の結合作業が容易になっている。また、当てリブ２５は器体１を取付枠に取り付けたときに取付枠の裏面側に当接することになる。操作ハンドル６０は両当てリブ２５の間に配置され、操作ハンドル６０は揺動時において当てリブ２５に干渉しないように形成される。このように当てリブ２５をカバー２０に突設し当てリブ２５に取付爪２６を設けたことによって、当てリブ２５を設けない場合に比較すると操作ハンドル６０を後方に位置させることが可能になり、施工状態においてカバー２０と操作ハンドル６０との間に形成される隙間が外部から見えにくくなる。
【００４２】
操作ハンドル６０は、図１５に示すように、反転ハンドル５０の前面を覆い、操作ハンドル６０の後面には反転ハンドル５０に設けた結合爪５３に係合する結合脚６１が突設される。結合脚６１の先端部（後端部）には結合爪５３の後面に係合する脚爪６１ａが形成され、操作ハンドル６０の後面に突設した押さえ突起６２と脚爪６１ａとの間で反転ハンドル５０が保持され、結果的に操作ハンドル６０が反転ハンドル５０に固定されることになる。
【００４３】
しかして、上述したスイッチの動作を簡単に説明すれば、図２のように反転ハンドル５０の右端部が左端部よりも後方（図の下方）に位置する状態では反転ばね４４は中間部が両端部よりも左側に膨らんだ状態になり、反転ばね４４によって可動接点４２が固定接点４１に押圧されて接点圧が付与される。一方、この状態から図示しない操作ハンドル６０の左端部を後方に押すと、反転ばね４４の前端部が右側に移動することにより反転ばね４４は圧縮された後に急速に伸長して中間部が両端部よりも右側に膨らんだ状態になり、このとき開閉素子４３を右側に倒して可動接点４２を固定接点４１から引き離す。
【００４４】
ところで、上述した電線挿入孔１２は、端子枠１１０ａ，１００ｂのねじ側端子板３３，３３と受け側端子板３１，３２との間に対応する部位に形成され、電線挿入孔１２を通して器体１に電線２を挿入した状態で端子ねじ３４を締め付けると、電線２の先端部が端子ねじ３４の先端面３４ａと受け側端子板３１，３２の主片３１ａ，３２ａの保持面３１ｂ，３２ｂとの間に挟持され、電線２が主片３１ａ，３２ａに接触して端子装置３０ａ，３０ｂと電線２とが電気的に接続され、電線２が器体１から抜けないように機械的に保持される。
【００４５】
ボディ１０の長手方向の両側壁には端子枠１００ａ，１００ｂに対応する部位に操作溝１５が形成されている。操作溝１５はマイナスドライバの先端部のような工具が器体１内に挿入可能となる形状を有し、工具を操作溝１５に挿入して端子ねじ３４を締め付けると、端子ねじ３４の先端面３４ａが受け側端子板３１，３２の主片３１ａ，３１ｂの保持面３１ｂ，３２ｂに近づくようにしてある。逆に、端子装置３０ａ，３０ｂに電線２を接続した状態で操作溝１５に工具を挿入して端子ねじ３４を緩めれば、端子ねじ３４の先端面３４ａが電線２から離れるように保持面３１ｂ，３２ｂとの距離が大きくなって電線２の機械的保持が解除され、電線２を器体１から引き抜くことが可能になる。
【００４６】
本実施形態における端子装置３０ａ，３０ｂに結線する電線としては撚り線や単線を用いることができ、多様な接続形態に対応することができる。例えば図８に示すように、単芯線の芯線２ａと撚り線の素線２ｂとを同時に接続することや、例えば図９に示すように、２本の単芯線の芯線２ａを同時に接続することも可能である。ここにおいて、端子ねじ３４の先端面３４ａに対向する受け側端子板３１，３２の保持面３１ｂ，３２ｂが弧状であるから、撚り線の素線２ｂを端子ねじ３４の先端面３４ａと端子板３１との間で素線２ｂが広がらないように挟持することが可能になるのである。
【００４７】
なお、端子枠１００ａ，１００ｂの内周面と端子ねじ３４の側面との間の隙間は撚り線の素線２ｂの直径よりも小さく設定されており、端子ねじ３４の先端面３４ａと保持面３１ｂ，３２ｂとの間に素線２ｂを挟持したときに、素線２ｂが端子枠１００ａ，１００ｂの内周面と端子ねじ３４との間に挟まって端子ねじ３４にからみつくことが防止され、端子ねじ３４を締め付ける際に素線２ｂが断線するのが防止されている。
【００４８】
ところで、ねじ側端子板３３の主片３３ａの両側縁には図１０に示すように各一対の結合突起３３ｄ，３３ｄが電線の挿入方向に離間して形成され、受け側端子板３１，３２の主片３１ａ，３２ａには各結合突起３３ｄ，３３ｄに対応した部位に結合孔３８（図１１および図参照）が貫設されている。また、ねじ側端子板３３の主片３３ａにおいてカウンタシンク３６の周辺で両側縁から側方へ突出する張出片３３ｃが設けられ、受け側端子板３１，３２の主片３１ａ，３２ａには張出片３３ｃが挿入される位置決め孔３７（図１１参照）を設けてある。ねじ側端子３３の主片３３ａにおいて、各一対の結合突起３３ｄ，３３ｄは電線の挿入方向において張出片３３ｃの両側に位置しており、また、張出片３３ｃの突出寸法は結合突起３３ｄの突出寸法よりも長く設定されている。
【００４９】
ここで、端子枠１００ａの組立工程について説明すれば、結合する前のねじ側端子板３３の主片３１ａは図１１（ａ）に示すように、先端側が拡開されており、この開いている状態から図１１（ｂ）に示すようにねじ側端子板３３の張出片３３ｃの一部を受け側端子板３１の主片３１ａの位置決め孔３７に挿入することでねじ側端子板３３を受け側端子板３３に仮固定し（図１２参照）、その後、図１１（ｃ）に示すように、受け側端子板３１の主片３１ａがＵ字状となるように先端側を近づけ（主片３１ａを閉じ）ることにより、張出片３３ｃを位置決め孔３７に挿通させるとともに結合突起３３ｄを結合孔３８に挿通させ、続いて、結合突起３３ｄの先端部をかしめることにより、ねじ側端子板３３と受け側端子板３１とが結合される。なお、端子枠１００ｂについても、ねじ側端子板３３は端子枠１００ａと共通部品であり、受け側端子板３２の主片３２ａの形状は主片３１ａの形状と略同じであるから、端子枠１００ｂについても端子枠１００ａと同様の工程で組み立てることができる。
【００５０】
しかして、端子枠１００ａ，１００ｂの組立時に張出片３７と位置決め孔３８とを利用してねじ側端子板３３を受け側端子板３１，３２に仮固定でき、ねじ側端子板３３と受け側端子板３１，３２との結合作業が容易になる。しかも、ねじ側端子板３３に張出片３７を設けたことにより、カウンタシンク３６の強度を高めることができる。
【００５１】
ところで、本実施形態の端子枠１００ａでは、図７に示すように上述の電線ストッパ片３３ｂをねじ側端子板３３に一体に設け、固定接点４１を保持した接点保持片３１ｄを受け側端子板３１から延長した連結片３１ｃの先端部に設けてある。これに対して、図１３に示すように固定接点４１を保持した接点保持片３１ｄをねじ側端子板３３から延長した連結片３１ｃの先端部に設けることも考えられるが、図１３に示す構成では電線２の挿入長さが長過ぎる場合などに連結片３１ｃが変形して固定接点４１の位置がずれてしまう恐れがある。また、図１４に示すように、ねじ側端子板３３の主片３３ａを受け側端子板３１の主片３１ａで挟持するとともに、主片３３ａから電線ストッパ片３３ｂを延設した構成も考えられるが、図１４に示す構成では電線２の挿入長さが長過ぎるような場合に、端子ねじ３４を締め付けると主片３１ａが同図中に二点鎖線で示すように変形して電線２にトルクがかかりにくいという問題がある。
【００５２】
一方、本実施形態の端子枠１００ａでは、電線２の挿入深さはねじ側端子板３３に一体に設けられた電線ストッパ片３３ｂにより規制されるから、例えば電線の挿入長さが長過ぎるような場合に連結片３１ｃや接点保持片３１ｄが電線２の影響を受けず、固定接点４１の位置がずれるのを防止することができ、また、ねじ側端子板３３と受け側端子板３１との２部材がかしめて結合されているので、端子ねじ３４を締め付けてもねじ側端子板３３が変形しにくく、端子ねじ３４の締め付けに対して強いので、結果的に電線２を強固に保持することができる。
【００５３】
上述したスイッチ装置を壁面のような施工面に取り付けるには、図２５および図２６に示すプレート９を用いる。プレート９は、器体１を保持する取付枠たるプレート枠８０と、プレート枠８０を覆う化粧プレート９０とからなる。
【００５４】
プレート枠８０は合成樹脂製であって絶縁性を有し、上下一対の枠片８３ａ，８３ｂの左端部同士および右端部同士をそれぞれ横片８２で連続一体に結合することによって、操作ハンドル６０の前面を露出させる長方形状の窓孔たる開口窓８１を中央部に備えた矩形枠状に形成されている。開口窓８１の長手方向に沿った両側縁の後面側にはそれぞれ帯板状の固定梁部８４（図１５参照）と可動梁部８５（図１５参照）とが互いに対向する形で設けてある。
【００５５】
固定梁部８４および可動梁部８５において開口窓８１に臨む一面には、器体１の両側面に各一対ずつ突設された取付爪２６と凹凸係合する器具取付手段としての４個の取付孔たる保持溝８７ａ，８７ｂ（図１５参照）が等間隔で設けられる。したがって、取付爪２６を各保持溝８７ａ，８７ｂに凹凸係合させると、操作ハンドル６０の前面を開口窓８１から露出させた形でプレート枠８０に器体１を取着することができる。また、器体１がプレート枠８０から前方に抜け落ちないように、固定梁部８４および可動梁部８５の基部には器体１のカバー２０に突設された当てリブ２５に当接する当接部８４ｄ，８５ｄ（図１５参照）が形成されている。つまり、器体１の当てリブ２５の前面が当接部８４ｄ，８５ｄに当接し、取付爪２６の後面が保持溝８７ａ，８７ｂに係止されることによって、器体１がプレート枠８０に取着される。ここで、固定梁部８４と可動梁部８５との開口窓８１に臨む一面における各先端部分には、器体１の取付爪２６をプレート枠８０の後面側から保持溝８７ａ，８７ｂに導入する際に、各取付爪２６を保持溝８７ａ，８７ｂに誘導するために、先端側ほど互いの距離を広げるように傾斜した傾斜面となった誘導部８７ｃ，８７ｄが設けてある。
【００５６】
しかるに、プレート枠８０にスイッチの器体１を取り付けるには、器体１をプレート枠８０の後方から挿入して器体１の長手方向の一側面に突設した取付爪２６を固定梁部８４の保持溝８７ａに係合させておき、器体１をプレート枠８０に対して前方に押し込むと、器体１の他側面に突設した取付爪２６が可動梁部８５を撓ませ、取付爪２６を保持溝８７ｂに容易に係合させることができる。
【００５７】
一方、固定梁部８４の基部には隣接する各一対の保持溝８７ａの間でプレート枠８０の表裏に貫通する器具外し孔８４ｃが穿設してあり、器体１をプレート枠８０に取着した状態で、ドライバや取外し専用の治具等の先端部分を器具外し孔８４ｃに挿入し、治具の先端部分で器体１を可動梁部８５側へ押すと梃子の原理によってわずかな力で可動梁部５５を撓ませることができ、固定梁部８４側の保持溝８７ａと器体１の取付爪２６との係合状態を解除してプレート枠８０から器体１を取り外すことができるようになっている。
【００５８】
ところで、プレート枠８０は固定梁部８４と可動梁部８５とにそれぞれ２対の保持溝８７ａ，８７ｂを有し、器体１は各側面に一対ずつの取付爪２６を有している。器体１に設けた取付爪２６の間隔は、固定梁部８４と可動梁部８５とにおいて隣接する保持溝８７ａ，８７ｂ間のピッチに一致しており、図１に示した器体１は上述したプレート枠８０に対して２個まで取り付けることが可能になるように寸法が設定されている。つまり、図２５および図２６に示したプレート枠８０は２個用であって、器体１は２個用のプレート枠８０に２個まで取り付けることが可能になっている。そこで、このような寸法の器体１を単位寸法の器体１と呼ぶことにする。
【００５９】
器体１とプレート枠８０との相対的な取付寸法を上述のように規定しておくことによって、プレート枠８０には単位寸法の器体１を１〜２個の範囲の任意個数で取り付けることが可能になる。
【００６０】
器体１を取り付けたプレート枠８０を壁面等に取り付けるために、プレート枠８０の各横片８２には、壁面に埋め込まれた埋込ボックス（図示せず）にプレート枠８０を取り付けるためのボックスねじ１１０を挿通するボックス用孔８８ａを設けた延設片８２ａが延設されている。また、プレート枠８０の枠片８３ａ，８３ｂにはプレート枠８０を壁面等の施工面に直付けするためのねじが挿通されるねじ挿通孔８８ｂとが設けてある。
【００６１】
また、プレート枠８０の４隅には、化粧プレート９０の後面から突設した係止突起（図示せず）を係止する化粧プレート係止孔８９が設けてあり、化粧プレート係止孔８９に係止突起を挿入係止することでプレート枠８０の前面を覆う形で化粧プレート９０を着脱自在に取り付けることができるようになっている。
【００６２】
化粧プレート９０は、絶縁性を有する合成樹脂を用いて形成されたものであって、プレート枠８０の前面を覆う矩形状の前面板９１と、前面板９１の周縁から全周に亙って後方に突出する側壁９２とを連続一体に形成した略箱形に形成される。プレート枠８０に結合するための上述した係止突起は前面板９１の後面側の４隅に突設してある。また、前面板９１の中央部には、プレート枠８０に取り付けた器体１の前面（操作ハンドル６０）を露出させる開口窓９１ａが設けてある。
【００６３】
化粧プレート９０の側壁９２のうちの各対向面間の距離は、それぞれプレート枠５０の対応する部位の幅寸法よりも大きくしてある。すなわち、施工面に配設したプレート枠８０の前面側に化粧プレート９０を取着したとき、プレート枠８０が化粧プレート９０の内側に収まり、化粧プレート９０の側壁９２の後端縁が施工面にほぼ当接する。その結果、プレート枠８０と化粧プレート９０との突き合わせ面が施工面よりも前方へ出ることがなく、両者の突き合わせの線が側面からはほとんど見えなくなり外観が向上する。
【００６４】
ところで、操作ハンドル６０としては、図２４および図２５に示すように開口窓８１の前面側を２つで覆う程度の大きさに形成されたもの（以下、２個用の操作ハンドル６０と称す）や、図２６に示すように開口窓８１の前面側を１つで覆う程度の大きさに形成されたもの（以下、１個用の操作ハンドル６０と称す）を反転ハンドル５０に取り付けることができるようになっている。
【００６５】
ここにおいて、各操作ハンドル６０には、器体１をプレート枠８０に取り付けた状態でボックスねじ１１０の干渉を防止する凹部よりなる逃げ部６６８図２１参照）が設けてある。しかして、操作ハンドル６０の操作時にボックスねじ１１０が操作ハンドル６０に干渉するのを回避することができる。
【００６６】
また、各操作ハンドル６０には、プレート枠８０に取着された状態で操作ハンドル６０を反転ハンドル５０から外すための切欠部６５を操作ハンドル６０の後端縁に設けてある。ここに、切欠部６５は上述の結合脚６１に対応した位置に設けてあり、器体１がプレート枠８０に取着され反転ハンドルに操作ハンドルが取り付けられた状態でも切欠部にマイナスドライバなどの先端部を差し込んで操作ハンドル６０が反転ハンドル５０から外れる向きの力を作用させることにより操作ハンドル６０を反転ハンドル５０から外すことができる。
【００６７】
また、図１８および図２０に示すように、操作ハンドル６０と反転ハンドル５０との互いの対向面それぞれに反転ハンドル５０への操作ハンドル６０の取付方向を規定方向のみに規制する逆組み防止リブ５５，６８を突設してあるので、反転ハンド５０に対する操作ハンドル６０の取付方向を規制でき、反転ハンドル５０に対する操作ハンドル６０の逆組みを防止することができる。さらに、操作ハンドル６０と反転ハンドル５０との互いの対向面に操作ハンドル６０の取付方向を指示するマークたる矢印５７，６７を表示してあるので、反転ハンドル５０への操作ハンドル６０の取付方向を容易に確認することができる（視認することができる）。
【００６８】
なお、反転ハンドル５０において鍔片たる結合爪５３には結合脚６１の脚爪６１ａを誘導する誘導溝５３ａを設けてある。したがって、反転ハンドル５０への操作ハンドル６０の取付時に結合脚６１の脚爪６１ａが誘導溝５３ａに沿って案内されるから、反転ハンドル５０への操作ハンドル６０の取付作業が容易になる。
【００６９】
ところで、器体１は、当該器体１と同じ外形寸法の器体を３個連設して取り付けることができるように器具取付手段を３組備えた図２７に示すプレート枠８０にも取り付けることができる。言い換えれば、器体１は幅方向（短手方向）の外形寸法が、中央部に窓孔たる開口窓８１を有した矩形枠状に形成され一方向に２ないし３組の器具取付手段を備えた埋込型の配線器具用の取付枠に当該取付枠の器具取付手段の組の数まで連設可能とする寸法に形成されている。
【００７０】
また、２個用の操作ハンドル６０は、開口窓８１の前面側の開口面を２個で覆う程度の大きさに形成されている。ここにおいて、２個用の操作ハンドル６０は、上記一方向を左右方向とするときに図２２ないし図２４に示すように、左右両側に反転ハンドル５０を着脱可能とするように、一対の結合脚６１を左右両側に設けてある。しかして、上記一方向に２組の器具取付手段を備えた取付枠と３組の器具取付手段を備えた取付枠とで操作ハンドル６０の共通化を図ることができ、取付枠毎に専用の操作ハンドル６０を用意する場合に比べて低コスト化を図ることができる。
【００７１】
（実施形態２）
本実施形態では、単極双投型のスイッチ（いわゆる３路スイッチ）を以下に示す。３路スイッチでは、図２８および図２９に示すように、３個の端子装置３０ｂ，３０ｃ，３０ｄを用いる。端子装置３０ｂは上述した実施形態１の単極単投スイッチと同構成であって、単極単投スイッチに用いた端子装置３０ａに代えて２個の端子装置３０ｃ，３０ｄを用いる。各端子装置３０ｃ，３０ｄはそれぞれ端子枠１００ｃ，１００ｄを備え、各端子枠１００ｃ，１００ｄは、ねじ側端子板３３と受け側端子板４５，４６とを実施形態１と同様に結合して形成されている。なお、実施形態１と同様の構成要素には同一の符号を付して説明を省略する。
【００７２】
受け側端子板４５，４６は、端子ねじ３４の先端面３４ａとの間に電線を挟持する保持面４５ｂ，４６ｂ（図３０参照）が形成された主片４５ａ，４６ａと、主片４５ａ，４５ｂの前端縁から連続一体に延長された連結片４５ｃ，４６ｃと連結片４５ｃ，４６ｃから延設され先端部にそれぞれ固定接点４１ａ，４１ｂを設けた接点保持片４５ｄ，４６ｄとが設けられる。
【００７３】
両端子装置３０ｃ，３０ｄの接点保持片４５ｄ，４６ｄの先端部は互いに対向するように配置され、固定接点４１ａ，４１ｂは対向する。また開閉素子４３は厚み方向の両面に可動接点４２ａ，４２ｂを備え、開閉素子４３の回動に伴って各固定接点４１ａ，４１ｂに各可動接点４２ａ，４２ｂが選択的に接触するようにしてある。つまり、固定接点４１ａに可動接点４２ａが接触している間は可動接点４２ｂは固定接点４１ｂから離れ、固定接点４１ｂに可動接点４２ｂが接触している間は可動接点４２ａは固定接点４１ａから離れる。
【００７４】
ここにおいて、端子装置３０ｄの受け側端子板４６では主片４６ａと接点保持片４６ｄとの間の距離が比較的大きいので、図３１に示すように、連結片４６ｃの側縁から保持リブ１３を挟み込む一対の突出片４６ｅを突設してある。このため、端子ねじ３４を締め付ける際の電線の反力による端子枠１００ｄのがたつきを防止でき、固定接点４１ｂの位置がずれるのを防ぐことができるから、安定した接点圧を得ることが可能になる。なお、突出片４６ｅを設けていない図３２に示すような受け側端子板４６を用いた場合には、電線の反力によって接点保持片４６ｄが前方（図中の矢印の向き）へ浮きあがってしまう恐れがある。
【００７５】
端子装置３０ｃ，３０ｄはボディ１０の長手方向における同じ側（図３０における左側）に配置されており、ボディ１０には端子装置３０ｃ，３０ｄの端子ねじ３４に対応して操作溝１５が形成されている。
【００７６】
ところで、図３３および図３４に示すようにネオンランプからなる位置表示灯７１を配置して、反転ハンドル５０の長手方向の一端部に位置表示灯７１からの光を透過させるための透孔５２を設けたものを用いてもよい。なお、位置表示灯７１は、図３６および図３７に示すような形状の金属板よりなる接触子４７を介して端子装置３０ａと端子装置３０ｂとの間に挿入される。
【００７７】
このような場合、各ねじ側端子板３３の電線ストッパ片３３ｂに導電性の金属板からなる接触子４７を結合すればよい。各接触子４７は位置表示灯７１が実装された回路基板に弾接するように弾性が付与されており、反転ハンドル５０の揺動にかかわらず接触子４７がつねに回路基板に弾接するようにしてある。回路基板には位置表示灯７１と抵抗（図示せず）との直列回路が実装され、この直列回路の各一端にそれぞれ接触子４７が接触する。この種の３路スイッチは階段灯の点灯・消灯に用いられることが多く、階上と階下とにそれぞれ３路スイッチを配置して階段灯の点灯・消灯とを階上と階下とのいずれにおいても操作可能とすることができる。したがって、両固定接点４１ａ，４１ｂの間に位置表示灯７１と抵抗との直列回路を挿入しておけば、階段灯の消灯時に位置表示灯７１を点灯させることができる。この種の回路の接続関係は周知であるから説明を省略する。また、３路スイッチの他の構成は単極単投型のスイッチと同様である。
【００７８】
ここに、接触子４７は、長手方向の一端部における両側縁から後方に向かって延設片４８が延設されており、上述の電線ストッパ片３３ｂの両側縁に突設した取付突起３３ｅが延設片４８に設けた係合溝４９に係合することによって接触子４７とねじ側端子板３３とが結合される。ここに、取付突起３３ｅには接触子４７側ほど電線ストッパ片３３ｂからの突出量を小さくする傾斜面３３ｆが形成されているので、位置表示灯７１への通電経路となる接触子４７を組立時にねじ側端子板３３と簡単に結合することができる。
【００７９】
ところで、位置表示灯７１を備えた反転ハンドル５０を用いる場合、操作ハンドル６０としては、図３３ないし図３５に示すように、操作ハンドル６０の後面に位置表示灯７１の光を操作ハンドル６０の表示部６３へ導光するレンズ６４を操作ハンドル６０の後面に配設すればよい。ここに、レンズ６４は反転ハンドル５０が左右両側いずれの位置に取り付けられた場合にも位置表示灯７１に一部が重なるような大きさに形成されている（つまり、位置表示灯７１に対応する部位に跨る大きさに形成されている）ので、２個用の操作ハンドル６０において上記左右方向の左右両側のいずれに反転ハンドル５０を取り付けた場合でも位置表示灯７１の光を操作ハンドル６０の表示部６３へ導光することができる。
【００８０】
ところで、端子装置３０ａ，３０ｂ，３０ｃ，３０ｄでは、図３８ないし図４１に示すように、主片３１ａ，３２ａ，４５ａ，４６ａに上述の位置決め孔３７および結合孔３８を設け、ねじ側端子板３３を共通化できるようにしてあるので、低コスト化を図ることができる。
【００８１】
【発明の効果】
請求項１の発明は、可動接点とともに接点装置を構成する固定接点を一体に備える端子装置が器体内に収納されたスイッチであって、端子装置は、器体に取り付けた環状の端子枠と、端子枠の周壁に貫設されたねじ孔に螺合し電線を端子枠との間に接続保持する端子ねじとを備え、端子枠において端子ねじの先端面との間に電線を挟持する部位には端子枠の開口面に沿った断面が端子ねじの先端面から離れる向きへ膨らむように湾曲する保持面が形成されてなるものであり、端子枠において端子ねじの先端面との間に電線を挟持する部位には端子枠の開口面に沿った断面が端子ねじの先端面から離れる向きへ膨らむように湾曲する保持面が形成されているので、芯線が単線である電線、芯線が撚り線である電線などの径や種類によらず、異径電線および異種電線を組み合わせて用いる場合でも電線を十分な強度で保持することができるから、例えば、１つの端子枠に芯線が単線である電線と芯線が撚り線である電線とを同時に接続する場合、１つの端子枠に芯線が単線である電線を２本接続する場合など、多様な接続形態に対応することができるという効果がある。
【００８２】
また、請求項１の発明では、端子枠は、ねじ孔が貫設されたねじ側端子板と保持面が形成された受け側端子板との２部材をかしめて結合することにより形成され、電線の挿入深さを規制する電線ストッパ片をねじ側端子板に一体に設け、固定接点を保持した接点保持片を受け側端子板から延長した連結片の先端部に設けてあるので、電線の挿入深さはねじ側端子板に一体に設けられた電線ストッパにより規制されるから、例えば電線の挿入長さが長過ぎるような場合に連結片や接点保持片が電線の影響を受けず、固定接点の位置がずれるのを防止することができ、また、ねじ側端子板と受け側端子板との２部材がかしめて結合されているので、端子ねじを締め付けてもねじ側端子板が変形しにくく、端子ねじの締め付けに対して強いから、結果的に電線を強固に保持することができるという効果がある。
【００８３】
請求項２の発明は、請求項１の発明において、上記ねじ側端子板は、上記ねじ孔の周縁外周部にカウンタシンクが一体に形成されているので、カウンタシンクを設けていない場合に比較すると端子枠と端子ねじとの螺合量を大きくとることができ、端子ねじを強固に締め付けることができるから、結果的に電線を強固に保持することができるという効果がある。
【００８４】
請求項３の発明は、請求項２の発明において、上記ねじ側端子板においてカウンタシンクの周辺で両側縁から側方へ突出する張出片が設けられ、上記受け側端子板には上記張出片が挿入される位置決め孔を設けてあるので、端子枠の組立時に張出片と位置決め孔とを利用して上記ねじ側端子板を上記受け側端子板に仮固定でき、上記ねじ側端子板と上記受け側端子板との結合作業が容易になり、また、カウンタシンクの強度を高めることができるという効果がある。
【００８５】
請求項４の発明は、請求項１の発明において、上記端子枠は、上記器体の内面に突設されたリブを挟み込む一対の突出片を上記連結片に設けてあるので、端子ねじを締め付ける際の電線の反力による端子枠のがたつきを防止でき、固定接点の位置がずれるのを防ぐことができるから、安定した接点圧を得ることが可能になるという効果がある。
【００８６】
請求項５の発明は、請求項１の発明において、上記器体に揺動自在に枢支された形で上記器体に装着され上記接点装置を開閉する反転ハンドルと、反転ハンドルに取り付けた表示灯とを備え、上記端子枠は、上記電線ストッパ片の両側縁に取付突起が突設され、表示灯への通電経路となる金属板よりなる接触子から延設された延設片に設けた係合部へ取付突起が係合することによって接触子とねじ側端子板とが結合され、取付突起には接触子側ほど電線ストッパ片からの突出量を小さくする傾斜面が形成されているので、表示灯への通電経路となる接触子を組立時にねじ側端子板と簡単に結合することができるという効果がある。
【００８７】
請求項６の発明は、請求項１の発明において、上記器体は箱状であって、前面開口した合成樹脂製のボディと、ボディの前面側に配設されるカバーとからなり、ボディの幅方向における両側面にはボディの長手方向に離間して各一対の組立突起が突設され、カバーの後端縁からは組立舌片が後方に突設され、組立舌片に設けた組立孔に組立突起が係合することによってボディとカバーとが結合され、ボディの長手方向における上記組立突起の幅をボディの両側面で異ならせてあるので、組立時にカバーとボディとを簡単に結合することができ、しかも、カバーとボディとの逆組を防止することができるという効果がある。
【００８８】
請求項７の発明は、請求項１の発明において、上記器体は箱状であって、前面開口した合成樹脂製のボディと、ボディの前面側に配設されるカバーとからなり、ボディの幅方向における両側面にはボディの長手方向に離間して各一対の組立突起が突設され、カバーの後端縁からは組立舌片が後方に突設され、組立舌片に設けた組立孔に組立突起が係合することによってボディとカバーとが結合され、上記長手方向の両端部において上記ボディと上記カバーとの対向面の一方にリブを設け、他方にリブが嵌る凹部を設け、両端部において上記リブの幅を異ならせてあるので、組立時にカバーとボディとを簡単に結合することができ、しかも、カバーとボディとの逆組を防止することができるという効果がある。
【００８９】
請求項８の発明は、請求項６の発明において、上記長手方向の両端部において上記ボディと上記カバーとの対向面の一方にリブを設け、他方にリブが嵌る凹部を設け、両端部において上記リブの幅を異ならせてあるので、カバーとボディとの逆組をより確実に防止することができるという効果がある。
【００９０】
請求項９の発明は、請求項１の発明において、上記器体に揺動自在に枢支された形で上記器体に装着され上記接点装置を開閉する反転ハンドルと、反転ハンドルの前面側に着脱自在に取り付けられる操作ハンドルと、埋込型の配線器具用の取付枠に取り付けるための取付部とを備え、上記取付枠に取着された状態で操作ハンドルを反転ハンドルから外すための切欠部を操作ハンドルの後端縁に設けてあるので、上記器体が上記取付枠に取着され反転ハンドルに操作ハンドルが取り付けられた状態でも切欠部にマイナスドライバなどの先端部を差し込んで操作ハンドルが反転ハンドルから外れる向きの力を作用させることにより操作ハンドルを反転ハンドルから外すことができるという効果がある。
【００９１】
請求項１０の発明は、請求項９の発明において、操作ハンドルと反転ハンドルとの互いの対向面それぞれに反転ハンドルへの操作ハンドルの取付方向を規定方向のみに規制する逆組み防止リブを突設してあるので、反転ハンドルに対する操作ハンドルの取付方向を規制でき、反転ハンドルに対する操作ハンドルの逆組みを防止することができるという効果がある。
【００９２】
請求項１１の発明は、請求項９の発明において、操作ハンドルと反転ハンドルとの互いの対向面に操作ハンドルの取付方向を指示するマークを表示してあるので、反転ハンドルへの操作ハンドルの取付方向を容易に確認できるという効果がある。
【００９３】
請求項１２の発明は、請求項９の発明において、上記器体は、短手方向の外形寸法が、中央部に窓孔を有した矩形枠状に形成され一方向に２ないし３組の器具取付手段を備えた埋込型の配線器具用の取付枠に当該取付枠の器具取付手段の組の数まで連設可能とする寸法に形成され、上記操作ハンドルは、上記窓孔の前面側の開口面を２個で覆う程度の大きさに形成され、上記一方向を左右方向とするときに左右両側に上記反転ハンドルを着脱可能としてあるので、上記一方向に２組の器具取付手段を備えた取付枠と３組の器具取付手段を備えた取付枠とで上記操作ハンドルの共通化を図ることができ、取付枠毎に専用の操作ハンドルを用意する場合に比べて低コスト化を図ることができるという効果がある。
【００９４】
請求項１３の発明は、請求項９の発明において、上記操作ハンドルの後面には、上記反転ハンドルに形成された鍔片の一部に係止される結合脚が突設され、上記反転ハンドルにおいて鍔片には結合脚を誘導する誘導溝が設けられているので、上記反転ハンドルへの上記操作ハンドルの取付時に結合脚が誘導溝に沿って案内されるから、上記反転ハンドルへの上記操作ハンドルの取付作業が容易になるという効果がある。
【００９５】
請求項１４の発明は、請求項１２の発明において、上記反転ハンドルに表示灯を備え、操作ハンドルの後面には、表示灯の光を操作ハンドルの表示部へ導光するレンズが配設され、当該レンズは上記左右両側それぞれにおいて表示灯に対応する部位に跨る大きさに形成されているので、上記窓孔の前面側の開口面を２個で覆う程度の大きさに形成された操作ハンドルにおいて上記左右方向の左右両側のいずれに反転ハンドルを取り付けた場合でも表示灯の光を操作ハンドルの表示部へ導光することができるという効果がある。
【００９６】
請求項１５の発明は、請求項９の発明において、上記取付枠が施工面に埋込配置された埋込ボックスに取り付けるためのボックスねじが挿通される取付孔が形成されたものであって、上記操作ハンドルにおいて上記器体の短手方向の両側壁の後端縁には、上記器体を上記取付枠に取り付けた状態でボックスねじの干渉を防止する凹部よりなる逃げ部が設けられているので、上記器体を上記取付枠に取り付けた状態でボックスねじの干渉を防止する凹部よりなる逃げ部が上記操作ハンドルに設けられていることによって、上記操作ハンドルの操作時にボックスねじが上記操作ハンドルに干渉するのを回避することができるという効果がある。
【図面の簡単な説明】
【図１】本発明の実施形態１を示す分解斜視図である。
【図２】同上の断面図である。
【図３】同上においてカバーを取り外した状態の正面図である。
【図４】同上の要部説明図である。
【図５】同上の要部説明図である。
【図６】同上を示し、（ａ）はカバーの背面図、（ｂ）はボディの正面図である。
【図７】同上に用いる端子装置の下面図である。
【図８】同上に用いる端子装置の使用例を示し、電線を接続した状態の正面図である。
【図９】同上に用いる端子装置の使用例を示し、電線を接続した状態の正面図である。
【図１０】同上を用いるねじ側端子板を示し、（ａ）は下面図、（ｂ）は側面図、（ｃ）は正面図である。
【図１１】同上に用いる端子装置の組立工程の説明図である。
【図１２】同上に用いる端子装置の組立工程の説明図である。
【図１３】同上に用いる端子装置の比較例を示す下面図である。
【図１４】同上に用いる端子装置の比較例を示す下面図である。
【図１５】同上を取付枠に取り付けた状態の断面図である。
【図１６】同上における反転ハンドルへの操作ハンドルの取り付け方の説明図である。
【図１７】同上に用いる１個用の操作ハンドルの斜視図である。
【図１８】同上における１個用の操作ハンドルへの反転ハンドルの取り付け方の説明図である。
【図１９】同上に用いる２個用の操作ハンドルの斜視図である。
【図２０】同上における２個用の操作ハンドルへの反転ハンドルの取り付け方の説明図である。
【図２１】同上の要部説明図である。
【図２２】同上における２個用の操作ハンドルへの反転ハンドルの取り付け方の説明図である。
【図２３】同上における２個用の操作ハンドルへの反転ハンドルの取り付け方の説明図である。
【図２４】同上のスイッチをプレート枠に取り付けた状態の正面図である。
【図２５】同上をプレート枠に２個取り付ける場合の分解斜視図である。
【図２６】同上をプレート枠に１個取り付ける場合の分解斜視図である。
【図２７】同上のスイッチを他のプレートに取り付けた状態の正面図である。
【図２８】実施形態２を示す分解斜視図である。
【図２９】同上の断面図である。
【図３０】同上においてカバーを取り外した状態の正面図である。
【図３１】同上の要部説明図である。
【図３２】同上の比較例の要部説明図である。
【図３３】同上の他の構成例における要部断面図である。
【図３４】同上の他の構成例における２個用の操作ハンドルへの反転ハンドルの取付位置の説明図である。
【図３５】同上の他の構成例における操作ハンドルの下面図である。
【図３６】同上の他の構成例に用いる接触子を示し、（ａ）は正面図、（ｂ）は下面図である。
【図３７】同上の他の構成例における接触子と端子装置との関係説明図である。
【図３８】同上における受け側端子板を示し、（ａ）は正面図、（ｂ）は下面図である。
【図３９】同上における受け側端子板を示し、（ａ）は正面図、（ｂ）は下面図である。
【図４０】同上における受け側端子板を示し、（ａ）は正面図、（ｂ）は下面図である。
【図４１】同上における受け側端子板を示し、（ａ）は正面図、（ｂ）は下面図である。
【図４２】従来例を示す断面図である。
【図４３】同上を取付枠に取り付けて操作ハンドルを取着した状態の断面図である。
【図４４】同上における操作ハンドルの取り付け方の説明図である。
【図４５】他の従来例を示す断面図である。
【図４６】適用電線の説明図である。
【符号の説明】
１  器体
１２  電線挿入孔
３０ａ，３０ｂ  端子装置
３５  ねじ孔
３６  カウンタシンク
１００ａ，１００ｂ  端子枠
４５，４６  端子板
【図１】
0003838025.tif 000002
【図２】
0003838025.tif 000003
【図３】
0003838025.tif 000004
【図４】
0003838025.tif 000005
【図５】
0003838025.tif 000006
【図６】
0003838025.tif 000007
【図７】
0003838025.tif 000008
【図８】
0003838025.tif 000009
【図９】
0003838025.tif 000010
【図１０】
0003838025.tif 000011
【図１１】
0003838025.tif 000012
【図１２】
0003838025.tif 000013
【図１３】
0003838025.tif 000014
【図１４】
0003838025.tif 000015
【図１５】
0003838025.tif 000016
【図１６】
0003838025.tif 000017
【図１７】
0003838025.tif 000018
【図１８】
0003838025.tif 000019
【図１９】
0003838025.tif 000020
【図２０】
0003838025.tif 000021
【図２１】
0003838025.tif 000022
【図２２】
0003838025.tif 000023
【図２３】
0003838025.tif 000024
【図２４】
0003838025.tif 000025
【図２５】
0003838025.tif 000026
【図２６】
0003838025.tif 000027
【図２７】
0003838025.tif 000028
【図２８】
0003838025.tif 000029
【図２９】
0003838025.tif 000030
【図３０】
0003838025.tif 000031
【図３１】
0003838025.tif 000032
【図３２】
0003838025.tif 000033
【図３３】
0003838025.tif 000034
【図３４】
0003838025.tif 000035
【図３５】
0003838025.tif 000036
【図３６】
0003838025.tif 000037
【図３７】
0003838025.tif 000038
【図３８】
0003838025.tif 000039
【図３９】
0003838025.tif 000040
【図４０】
0003838025.tif 000041
【図４１】
0003838025.tif 000042
【図４２】
0003838025.tif 000043
【図４３】
0003838025.tif 000044
【図４４】
0003838025.tif 000045
【図４５】
0003838025.tif 000046
【図４６】
0003838025.tif 000047